(57)【要約】【課題】外部から電磁的に電力の供給を受けるに際して、供給電力を増大するとともに、付加的な機能を実現する。【解決手段】スパイラルコイル２１１、２１２および２１３は、磁束の変化に応じた交流信号を発生させる。整流平滑回路２２１、２２２および２２３は、交流信号を整流して直流信号に変換する。安定化回路２４１は、ダイオード２３１、２３２または２３３を介して、整流平滑回路２２１、２２２または２２３から出力された直流信号に基づいて電力を抽出する。比較回路２５１は、整流平滑回路２２１、２２２または２２３から出力され、かつ、ダイオード２３１、２３２または２３３よりも前段の直流信号を用いて、信号を発生させたスパイラルコイルを判別する。そして、比較回路２５１は、判別結果を表す判別信号を出力する。【選択図】図４
2008259401.tif 000002
【特許請求の範囲】
【請求項１】
磁束の変化に応じた交流信号を発生させる複数のコイルと、
前記複数のコイルのそれぞれに接続され、接続されたコイルに発生した交流信号を直流信号に変換する複数の整流手段と、
前記複数の整流手段により変換された複数の直流信号の逆流を抑制する抑制手段と、
前記抑制手段に流れた直流信号から電力を抽出して供給する電力供給手段と、
前記複数の整流手段により変換された複数の直流信号から最大レベルの信号を特定することにより、当該信号を発生させた整流手段に接続されたコイルが前記複数のコイルのいずれであるかを特定する情報を出力する出力手段と
を備えることを特徴とする給電装置。
【請求項２】
磁束の変化に応じた交流信号を発生させる複数のコイルと、
前記複数のコイルのそれぞれに接続され、接続されたコイルに発生した交流信号を直流信号に変換する複数の整流手段と、
前記複数の整流手段により変換された直流信号から電力を抽出して供給する電力供給手段と、
前記複数のコイルに発生した複数の交流信号から最大レベルの信号を特定することにより、当該信号を発生させたコイルが前記複数のコイルのいずれであるかを特定する情報を出力する出力手段と
を備えることを特徴とする給電装置。
【請求項３】
前記複数のコイルが、それぞれ、複数の群のいずれかに分類され、
前記出力手段が、前記複数の群毎に複数設けられ、対応する群のいずれかのコイルを特定する情報をそれぞれ出力する
ことを特徴とする請求項１または２に記載の給電装置。
【請求項４】
前記交流信号が、ある変調方式により変調された重畳情報を含み、
前記出力手段により出力された情報により最大レベルの交流信号を特定し、当該交流信号に対して前記変調方式に対応した復調処理を実行して前記重畳情報を取得する復調手段を備える
ことを特徴とする請求項１または２に記載の給電装置。
【請求項５】
前記複数の整流手段は、
変換した直流信号のリプルを低減させる平滑手段を備える
ことを特徴とする請求項１または２に記載の給電装置。
【請求項６】
前記複数のコイルのそれぞれに接続され、所定の周波数の交流信号に対して共振を生じる複数のコンデンサを備える
ことを特徴とする請求項１または２に記載の給電装置。
【請求項７】
各々が決められた位置に設けられ、磁束の変化に応じた交流信号を発生させる複数のコイルと、
前記複数のコイルのそれぞれに接続され、接続されたコイルに発生した交流信号を直流信号に変換する複数の整流手段と、
前記複数の整流手段により変換された複数の直流信号の逆流を抑制する抑制手段と、
前記抑制手段に流れた直流信号から電力を抽出して供給する電力供給手段と、
前記複数の整流手段により変換された複数の直流信号から最大レベルの信号を特定することにより、当該信号を発生させた整流手段に接続されたコイルを特定する特定手段と、
前記電力供給手段により供給される電力を用いて、前記特定手段により特定されたコイルに応じた処理を実行する処理実行手段と
を備えることを特徴とする情報処理装置。
【請求項８】
各々が決められた位置に設けられ、磁束の変化に応じた交流信号を発生させる複数のコイルと、
前記複数のコイルのそれぞれに接続され、接続されたコイルに発生した交流信号を直流信号に変換する複数の整流手段と、
前記複数の整流手段により変換された直流信号から電力を抽出して供給する電力供給手段と、
前記複数のコイルに発生した複数の交流信号から最大レベルの信号を特定することにより、当該信号を発生させたコイルを特定する特定手段と、
前記電力供給手段により供給される電力を用いて、前記特定手段により特定されたコイルに応じた処理を実行する処理実行手段と
を備えることを特徴とする情報処理装置。
【請求項９】
記憶性表示体により表示を行う表示手段と、
各々が決められた位置に設けられ、磁束の変化に応じた交流信号を発生させる複数のコイルと、
前記複数のコイルのそれぞれに接続され、接続されたコイルに発生した交流信号を直流信号に変換する複数の整流手段と、
前記複数の整流手段により変換された複数の直流信号の逆流を抑制する抑制手段と、
前記抑制手段に流れた直流信号から電力を抽出して供給する電力供給手段と、
前記複数の整流手段により変換された複数の直流信号から最大レベルの信号を特定することにより、当該信号を発生させた整流手段に接続されたコイルを特定する特定手段と、
前記電力供給手段により供給される電力を用いて、前記特定手段により特定されたコイルに応じた処理であって、前記表示手段の表示に関する処理を実行する処理実行手段と
を備えることを特徴とする記憶性表示装置。
【請求項１０】
記憶性表示体により表示を行う表示手段と、
各々が決められた位置に設けられ、磁束の変化に応じた交流信号を発生させる複数のコイルと、
前記複数のコイルのそれぞれに接続され、接続されたコイルに発生した交流信号を直流信号に変換する複数の整流手段と、
前記複数の整流手段により変換された直流信号から電力を抽出して供給する電力供給手段と、
前記複数のコイルに発生した複数の交流信号から最大レベルの信号を特定することにより、当該信号を発生させたコイルを特定する特定手段と、
前記電力供給手段により供給される電力を用いて、前記特定手段により特定されたコイルに応じた処理であって、前記表示手段の表示に関する処理を実行する処理実行手段と
を備えることを特徴とする記憶性表示装置。
【発明の詳細な説明】
【技術分野】
【０００１】
本発明は、外部から電磁的に電力の供給を受ける技術に関する。
【背景技術】
【０００２】
電磁誘導現象を利用して電力を供給する技術が知られている。また、このようにして供給される電力を増大させるために、給電側のコイルと受電側のコイルとを複数設ける技術も知られている（例えば、特許文献１参照）。
【特許文献１】特開２００５−３１２２８５号公報
【発明の開示】
【発明が解決しようとする課題】
【０００３】
しかし、単にコイルを複数設けただけでは、供給電力の増大しか期待できない。
そこで、本発明は、外部から電磁的に電力の供給を受けるに際して、供給電力を増大させるとともに、付加的な機能を実現する技術を提供することを目的としている。
【課題を解決するための手段】
【０００４】
本発明に係る給電装置は、磁束の変化に応じた交流信号を発生させる複数のコイルと、前記複数のコイルのそれぞれに接続され、接続されたコイルに発生した交流信号を直流信号に変換する複数の整流手段と、前記複数の整流手段により変換された複数の直流信号の逆流を抑制する抑制手段と、前記抑制手段に流れた直流信号から電力を抽出して供給する電力供給手段と、前記複数の整流手段により変換された複数の直流信号から最大レベルの信号を特定することにより、当該信号を発生させた整流手段に接続されたコイルが前記複数のコイルのいずれであるかを特定する情報を出力する出力手段とを備える。
あるいは、本発明に係る給電装置は、磁束の変化に応じた交流信号を発生させる複数のコイルと、前記複数のコイルのそれぞれに接続され、接続されたコイルに発生した交流信号を直流信号に変換する複数の整流手段と、前記複数の整流手段により変換された直流信号から電力を抽出して供給する電力供給手段と、前記複数のコイルに発生した複数の交流信号から最大レベルの信号を特定することにより、当該信号を発生させたコイルが前記複数のコイルのいずれであるかを特定する情報を出力する出力手段とを備える。
かかる給電装置によれば、複数のコイルにより電力を供給するだけでなく、いずれのコイルにおいて主たる信号が発生したかを特定することができる。そのため、この給電装置により供給される電力を用いて動作する装置において、特定されたコイルに応じた処理を行うなどすることが可能となる。
【０００５】
また、本発明に係る給電装置において、前記複数のコイルが、それぞれ、複数の群のいずれかに分類され、前記出力手段が、前記複数の群毎に複数設けられ、対応する群のいずれかのコイルを特定する情報をそれぞれ出力する構成を採用してもよい。このようにすれば、複数の群から出力された情報を組み合わせることにより、情報が表す内容を多くすることができる。
【０００６】
また、本発明に係る給電装置において、前記交流信号が、ある変調方式により変調された重畳情報を含み、前記出力手段により出力された情報により最大レベルの交流信号を特定し、当該交流信号に対して前記変調方式に対応した復調処理を実行して前記重畳情報を取得する復調手段を備える構成を採用してもよい。このようにすれば、コイルを特定する情報に加えて重畳情報を得ることが可能となる。
【０００７】
また、本発明に係る給電装置において、前記複数の整流手段は、変換した直流信号のリプルを低減させる平滑手段を備える構成を採用してもよい。このようにすれば、より安定した（すなわち変動の少ない）直流信号を得ることができる。
【０００８】
また、本発明に係る給電装置において、前記複数のコイルのそれぞれに接続され、所定の周波数の交流信号に対して共振を生じる複数のコンデンサを備える構成を採用してもよい。このようにすれば、所望する周波数の信号を効率的に取得することができる。
【０００９】
また、本発明は、電力の供給を受けて動作する情報処理装置としても特定され得る。例えば、本発明に係る情報処理装置は、各々が決められた位置に設けられ、磁束の変化に応じた交流信号を発生させる複数のコイルと、前記複数のコイルのそれぞれに接続され、接続されたコイルに発生した交流信号を直流信号に変換する複数の整流手段と、前記複数の整流手段により変換された複数の直流信号の逆流を抑制する抑制手段と、前記抑制手段に流れた直流信号から電力を抽出して供給する電力供給手段と、前記複数の整流手段により変換された複数の直流信号から最大レベルの信号を特定することにより、当該信号を発生させた整流手段に接続されたコイルを特定する特定手段と、前記電力供給手段により供給される電力を用いて、前記特定手段により特定されたコイルに応じた処理を実行する処理実行手段とを備える。あるいは、本発明に係る情報処理装置は、各々が決められた位置に設けられ、磁束の変化に応じた交流信号を発生させる複数のコイルと、前記複数のコイルのそれぞれに接続され、接続されたコイルに発生した交流信号を直流信号に変換する複数の整流手段と、前記複数の整流手段により変換された直流信号から電力を抽出して供給する電力供給手段と、前記複数のコイルに発生した複数の交流信号から最大レベルの信号を特定することにより、当該信号を発生させたコイルを特定する特定手段と、前記電力供給手段により供給される電力を用いて、前記特定手段により特定されたコイルに応じた処理を実行する処理実行手段とを備える。
かかる情報処理装置の一例としては、記憶性表示体により表示を行う表示手段を備え、前記処理として前記表示手段の表示に関する処理を実行する記憶性表示装置を挙げることができる。
【発明を実施するための最良の形態】
【００１０】
以下、図面を参照し、本発明の実施の形態を説明する。
［第１実施形態］
図１は、本発明の第１の実施形態である情報表示システムを概略的に示す図である。同図に示すように、本実施形態の情報表示システム１００は、指示装置１０と、複数の表示装置２０とを備える。指示装置１０は、複数の表示装置２０に対して、表示に係る各種指示と動作のための電力とを供給するペン型の処理装置である。表示装置２０は、いわゆる電子ペーパであり、指示装置１０から供給された電力に基づき、指示装置１０から供給された指示に応じた表示を行う。なお、本実施形態において、指示装置１０と表示装置２０とは、電磁結合方式により所定の周波数帯を用いて電力の供給を行う。
【００１１】
図２は、情報表示システム１００の全体構成を示すブロック図である。なお、表示装置２０は、いずれも同様の構成であるため、ここでは重複する記載を省略する。同図に示すように、指示装置１０は、電源部１１と、制御部１２と、一次コイル部１３とを備える。また、表示装置２０は、二次コイル部２１と、整流平滑部２２と、逆流抑制部２３と、電力抽出部２４と、判別部２５と、記憶部２６と、表示制御部２７と、表示部２８とを備える。
【００１２】
電源部１１は、指示装置１０および表示装置２０を動作させるための電力を供給する。電源部１１は、電力の供給源として、乾電池や蓄電池等のバッテリを備える。制御部１２は、ＣＰＵ（Central Processing Unit）やメモリを備え、指示装置１０の動作を制御する。制御部１２は、所定の交流信号を供給することにより、一次コイル部１３の動作を制御する。一次コイル部１３は、表示装置２０に電力を供給するためのインタフェースであり、交流信号に応じた磁束を発生させる。
図３は、一次コイル部１３の構成を示す図である。一次コイル部１３は、磁心１３１と、磁心１３１に巻回されたコイル１３２とを備える。なお、磁心１３１は、二次コイル部２１との電磁的な結合を効率的に行うために、その先端が錐状であると望ましい。
【００１３】
二次コイル部２１は、指示装置１０から電力の供給を受けるためのインタフェースである。二次コイル部２１は、複数のスパイラルコイルを備える。それぞれのスパイラルコイルは、導線を螺旋状に巻回した平面状のコイルである。また、それぞれのスパイラルコイルは、直径が１０ｍｍ程度であり、磁束の変化に応じた電流により信号を発生させる。指示装置１０により生じる磁界が交番磁界であるため、この信号は交流信号となる。
【００１４】
整流平滑部２２は、二次コイル部２１において発生した交流信号を直流信号に変換する。整流平滑部２２は、複数の整流平滑回路を備える。整流平滑部２２は、整流回路により交流信号を直流信号に変換し、平滑回路により直流信号を平滑化する。平滑回路を通過する前の直流信号は、いわゆる脈流である。平滑回路を通過すると、直流信号のリプルは低減される。なお、整流回路としては、全波整流回路と半波整流回路のいずれを用いてもよいが、本実施形態においてはブリッジ全波整流回路を用いる。また、平滑回路とは、すなわちコンデンサ（キャパシタ）である。
【００１５】
逆流抑制部２３は、整流平滑部２２により供給される直流信号が逆流するのを抑制し、当該直流信号が電力抽出部２４に流れるように作用する。逆流抑制部２３は、例えばダイオードにより構成される。
電力抽出部２４は、逆流抑制部２３を介して供給された直流信号から動作電力を抽出する。電力抽出部２４は、例えば、安定化回路を備える。電力抽出部２４は、抽出した動作電力を表示制御部２７に供給する。
【００１６】
判別部２５は、整流平滑部２２から供給される複数の直流信号を判別し、そのレベルが最大となるものを特定する。判別部２５は、例えば、スパイラルコイルと同数の端子を有する比較回路を備え、いずれの端子からの直流信号が最大であるかを示す信号を出力する。この信号のことを、以下では「判別信号」という。判別信号は、複数のスパイラルコイルのそれぞれを一意的に特定可能な情報である。
【００１７】
記憶部２６は、表示データを記憶する。記憶部２６は、例えば、フラッシュメモリ等の書き換え可能な記憶媒体を備える。この記憶媒体は、いわゆるメモリカードのような着脱可能な構成であると望ましい。なお、記憶部２６が記憶する表示データとは、表示装置２０において表示される文字や画像を表す情報であり、表示装置２０の表示面に表示されるページ単位の情報である。本実施形態においては、表示データは、複数のページで１の文書を構成するものであり、記憶部２６には複数の文書に相当する複数の表示データが記憶されているとする。
【００１８】
表示制御部２７は、表示部２８を駆動するための駆動回路を備え、表示部２８の表示を制御する。表示制御部２７は、記憶部２６から表示データを取得し、表示データに応じた駆動電圧を表示部２８に供給する。また、表示制御部２７は、判別部２５から判別信号を取得し、判別信号に基づいて表示すべき表示データの切り替えなどの制御を行う。
表示部２８は、所定の表示面に文字や画像を表示する。表示部２８の表示面は、それぞれが供給された駆動電圧に応じた階調を呈する複数の画素により構成される。本実施形態において、表示部２８の各画素は、記憶性液晶による液晶層を有する。ここにおいて、記憶性液晶とは、電圧を印加し続けなくても表示状態（すなわち階調）を維持することが可能な液晶のことである。この記憶性液晶としては、例えばコレステリック液晶が用いられる。
【００１９】
ここで、二次コイル部２１、整流平滑部２２、逆流抑制部２３、電力抽出部２４および判別部２５の構成をより具体的に説明する。
図４は、表示装置２０の回路構成を部分的に示す図である。二次コイル部２１は、スパイラルコイル２１１、２１２および２１３を備える。また、整流平滑部２２は、整流平滑回路２２１、２２２および２２３を備え、逆流抑制部２３は、ダイオード２３１、２３２および２３３を備える。また、電力抽出部２４は、安定化回路２４１を備え、判別部２５は、比較回路２５１を備える。
【００２０】
整流平滑回路２２１は、スパイラルコイル２１１に接続される回路であり、ダイオードＤ11、Ｄ12、Ｄ13およびＤ14と、コンデンサＣ1とを備える。ダイオードＤ11、Ｄ12、Ｄ13およびＤ14は、ブリッジ回路を構成する。スパイラルコイル２１１の一端は、ダイオードＤ11のアノード側とダイオードＤ13のカソード側に接続されており、スパイラルコイル２１１の他端は、ダイオードＤ12のアノード側とダイオードＤ14のカソード側に接続されている。また、コンデンサＣ1は、その一端がダイオードＤ13およびＤ14のアノード側に接続されるとともに接地電位（Ｇｎｄ）に接続されており、他端がダイオードＤ11およびＤ12のカソード側に接続されている。
【００２１】
なお、整流平滑回路２２２は、ダイオードＤ21、Ｄ22、Ｄ23およびＤ24と、コンデンサＣ2とを備え、整流平滑回路２２１と同様の構成を有している。また、整流平滑回路２２３は、ダイオードＤ31、Ｄ32、Ｄ33およびＤ34と、コンデンサＣ3とを備え、整流平滑回路２２１と同様の構成を有している。整流平滑回路２２２は、スパイラルコイル２１２に接続されており、整流平滑回路２２３は、スパイラルコイル２１３に接続されている。すなわち、整流平滑回路２２２はスパイラルコイル２１２に対応し、整流平滑回路２２３はスパイラルコイル２１３に対応する回路である。
【００２２】
整流平滑回路２２１、２２２および２２３からの出力は、それぞれ、２つの経路に分岐する。一方の経路は、ダイオード２３１、２３２および２３３に至る経路であり、他方の経路は、比較回路２５１に至る経路である。すなわち、比較回路２５１に供給されるのは、ダイオード２３１、２３２および２３３に入力される前の直流信号である。また、ダイオード２３１、２３２および２３３に供給された直流信号は、安定化回路２４１に供給される。
【００２３】
図５は、表示装置２０の表示面側を示す図である。同図に示すように、表示装置２０は、表示面２８Ｄと、複数の操作ポイントＰ１、Ｐ２およびＰ３とを備える。操作ポイントＰ１〜Ｐ３は、それぞれが所定の操作に割り当てられる。操作ポイントＰ１〜Ｐ３に割り当てられる操作は、例えば、表示する表示データの変更（ページ遷移）や、各種の設定や指示などである。操作ポイントＰ１〜Ｐ３のそれぞれは、スパイラルコイル２１１〜２１３のそれぞれに対応付けられている。例えば、操作ポイントＰ１はスパイラルコイル２１１に対応し、操作ポイントＰ２はスパイラルコイル２１２に対応する、といった具合である。すなわち、操作ポイントの数は、スパイラルコイルの数に一致する。操作ポイントＰ１〜Ｐ３に相当する位置には、これを示す文字や画像が印刷されている。
【００２４】
図６は、表示装置２０の断面図であり、図５のＡ−Ａ線を切断面としたときの断面図である。なお、同図は、表示面側を上面とした断面図である。同図に示すように、操作ポイントＰ１〜Ｐ３の下部には、対応するスパイラルコイル２１１〜２１３が設けられている。また、スパイラルコイル２１１〜２１３の下部には、スパイラルコイル２１１〜２１３の下面に対向するようにして磁気吸収層Ｓ１が設けられている。磁気吸収層Ｓ１は、電磁波を吸収するシート状の物体であり、例えば、軟磁性体を材料に含むものである。この磁気吸収層Ｓ１は、少なくともスパイラルコイル２１１〜２１７の下部に設けられていれば十分であるが、より広い範囲に設けられていてもよい。例えば、磁気吸収層Ｓ１は、表示装置２０の上面とほぼ同面積であってもよい。なお、もちろん、磁気吸収層Ｓ１を、スパイラルコイル２１１〜２１７のそれぞれに対応した複数の小片状のシートとしてもよい。
【００２５】
情報表示システム１００の構成は、以上のとおりである。この構成のもと、情報表示システム１００は、複数の表示装置２０に文字や画像を表示する。情報表示システム１００において、ユーザは、指示装置１０をその手に把持し、ペン等の筆記具を用いるようにして操作を行う。その操作とは、指示装置１０の先端を操作ポイントＰ１〜Ｐ３の中心に当てるものである。なお、この場合において、指示装置１０の先端部は操作ポイントＰ１〜Ｐ３に接触していることが望ましいが、数ｍｍ程度であれば離間していてもよい。
【００２６】
指示装置１０の先端部とスパイラルコイル２１１〜２１３のいずれかとが近接し、所定の距離以下となると、近接したスパイラルコイルと一次コイル部１３とが電磁的に結合する。これにより、表示装置２０は電力の供給を受け、表示部２８に表示を行う。
このとき、表示制御部２７は、判別信号に基づいて表示を制御する。例えば、判別信号が表すスパイラルコイルがスパイラルコイル２１１である場合（すなわち、指示装置１０が近接したスパイラルコイルがスパイラルコイル２１１である場合）には、表示制御部２７は、それまで表示していたページの１つ前のページを表示させ、判別信号が表すスパイラルコイルがスパイラルコイル２１３である場合には、それまで表示していたページの次のページを表示させ、判別信号が表すスパイラルコイルがスパイラルコイル２１２である場合には、表示する文書を切り替える、といった具合である。
【００２７】
このように、本実施形態の表示装置２０は、ダイオード２３１、２３２および２３３に入力される前の直流信号を判別部２５に入力する構成を採用することにより、他のスパイラルコイルによる干渉を防ぎ、いずれのスパイラルコイルが指示装置１０と近接したかを判別することが可能である。これにより、表示装置２０は、ユーザが指示した操作ポイントを特定し、その操作ポイントに応じた処理を実行することが可能となる。ゆえに、本実施形態の情報表示システム１００によれば、表示装置２０に給電を行うに際して、供給する信号に情報を重畳させなくても、ある程度の情報を供給することが可能となる。
【００２８】
［第２実施形態］
続いて、本発明の第２の実施形態を説明する。本実施形態の構成は、上述した第１実施形態の構成と多くの部分で一致する。そこで、本実施形態については、第１実施形態と同様の部分の説明を適宜省略し、第１実施形態と異なる部分を中心に説明する。なお、本実施形態において、第１実施形態と同一名称の構成要素は、その主たる機能が第１実施形態のそれと同様であることを意味する。
【００２９】
図７は、表示装置３０の全体構成を示すブロック図である。同図に示すように、表示装置３０は、二次コイル部３１と、整流部３２と、電力抽出部３３と、判別部３４と、記憶部３５と、表示制御部３６と、表示部３７とを備える。本実施形態の表示装置３０と第１実施形態の表示装置２０とを比較すると、表示装置３０は、表示装置２０の「整流平滑部２２」に代えて「整流部３２」を備えるとともに、「逆流抑制部２３」に相当する構成を備えていない点において表示装置２０と相違している。
【００３０】
図８は、表示装置３０の回路構成を部分的に示す図である。二次コイル部３１は、スパイラルコイル３１１および３１２を備え、整流部３２は、整流回路３２１および３２２を備える。また、電力抽出部３３は、コンデンサ３３１と安定化回路３３２とを備え、判別部３４は、コンデンサ３４１および３４２と比較回路３４３とを備える。整流回路３２１および３２２は、整流平滑回路２２１および２２２と同様のブリッジ回路（ダイオードＤ11〜Ｄ14およびＤ21〜Ｄ24）を備える。
【００３１】
比較回路３４３は、スパイラルコイル３１１の一端であり、ダイオードＤ12のアノード側である一端から供給される交流信号と、スパイラルコイル３１２の一端であり、ダイオードＤ22のアノード側である一端から供給される交流信号とを判別し、そのレベルがより大となる信号がいずれであるかを特定する。そして、比較回路３４３は、特定した交流信号が出力されたスパイラルコイルを特定する判別信号を出力する。
【００３２】
本実施形態の表示装置３０においても、第１実施形態の表示装置２０と同様の効果を奏することができる。本実施形態の表示装置３０においては、ダイオードＤ12およびＤ22が、ダイオード２３１および２３２と同様の作用、すなわち、電力抽出部３３に供給される直流信号の逆流を抑制する作用を有する。そのため、本実施形態の表示装置３０においても、ユーザが指示した操作ポイントを特定し、その操作ポイントに応じた処理を実行することが可能となる。
【００３３】
［変形例］
本発明は、上述した実施形態のみならず、その他の形態でも実施が可能である。例えば、上述した実施形態においては、本発明に係る情報処理装置の一例として、表示の用に供される表示装置２０（３０）を例示したが、その他の用に供されるものであってもよい。要するに、本発明に係る情報処理装置は、指示装置１０から供給される電力を用いて何らかの処理を実行するものであれば、いかなる装置であってもよい。また、上述した実施形態においては、複数の表示装置２０に対して１つの指示装置１０が指示を行う構成であったが、１つの表示装置２０に対して１つの指示装置１０を用いるような構成でもよい。
【００３４】
また、第１実施形態よりも多数のスパイラルコイルを設けてもよい。スパイラルコイルの数を多くすれば、判別部２５（３４）による判別結果はより多岐に渡るため、より複雑な指示を行うことが可能となる。
【００３５】
また、スパイラルコイルは、表示面の下面にあってもよい。このようにすれば、スパイラルコイルの位置に応じた画像を表示面に表示させることで、いわゆるタッチパネルのような操作手段を実現することができる。すなわち、このような表示装置によれば、表示面に表示された画像を操作ポイントとして指示装置で選択することにより、所定の操作を行うことが可能となる。
【００３６】
また、整流するための構成は、ブリッジ回路に限らない。例えば、半波整流回路を用いてもよいし、倍電圧整流回路を用いてもよい。また、逆流の抑制や整流のために用いられる物は、ダイオードに限らず、電界効果トランジスタ等の同様の機能を有する素子や回路であってもよい。
また、各整流平滑回路（整流回路）の前段に、共振コンデンサをスパイラルコイルと並列に接続した構成を採用してもよい。この共振コンデンサの共振周波数は、使用する周波数帯に応じて決定される。
図９は、共振コンデンサを接続した場合を例示する図である。同図に示すように、共振コンデンサ４２は、ブリッジ回路４３の前段において、スパイラルコイル４１に並列に接続される。
【００３７】
また、上述した実施形態は、表示装置２０（３０）に設けられた全てのスパイラルコイルからの信号が１の判別部２５（３４）に入力される構成としたが、スパイラルコイルを複数のグループ（群）に分類し、それぞれのグループ毎に判別部を設ける構成としてもよい。
図１０は、判別部を複数設けた場合を例示する図である。同図においては、スパイラルコイル５１１および５１２が第１のグループを構成し、スパイラルコイル５１３および５１４が第２のグループを構成している。安定化回路５３２には、整流回路５２１、５２２、５２３または５２４から供給され、コンデンサ５３１で平滑化された直流信号の全てが入力される。比較回路５５１には、整流平滑回路５２１または５２２から供給され、コンデンサ５４１または５４２で平滑化された直流信号が入力される一方、比較回路５５２には、整流平滑回路５２３または５２４から供給され、コンデンサ５４３または５４４で平滑化された直流信号が入力される。
【００３８】
なお、同様の要領で、３以上のスパイラルコイルを１つのグループにするとともに、スパイラルコイルを３以上のグループに分類し、グループの数と同数の比較回路を設けてもよい。このようにすれば、判別信号が示す情報の種類をスパイラルコイルの数よりも多くすることができる。なお、ｍ個のスパイラルコイルをｎ個のグループに分類すれば、判別信号が示す情報は、これらの組み合わせによりｍｎ（ｍのｎ乗）通りにすることができる。
【００３９】
また、上述した実施形態においては、指示装置１０が送信する信号は電力のみに相当するものであったが、電力と情報とを重畳した信号を送信する構成としてもよい。このようにすれば、表示装置２０（３０）に対してより多くの情報を供給することができる。なお、このような構成を実現するためには、指示装置１０が所定の変調方式で情報を変調して信号に重畳させるとともに、表示装置２０（３０）が信号から情報と電力とを分離する復調処理を行えばよい。
【００４０】
図１１は、電力と情報とを送受信する情報表示システムを例示する図であり、上述した第１実施形態（図２参照）を変形したものである。同図に示す指示装置１０ａは、指示装置１０と比較すると、「情報供給部１４」を更に備えるとともに、「制御部１２」に代えて「制御部１２ａ」を備える点において相違している。情報供給部１４は、表示装置２０ａに送信する情報を供給する。情報供給部１４は、メモリカード等の記憶媒体に記憶された情報を読み出して供給するものであってもよいし、外部装置から有線または無線の通信により情報を取得して供給するものであってもよい。制御部１２ａは、上述した制御部１２と同様の機能に加え、所定の変調方式で情報を変調する機能を有する。すなわち、制御部１２ａは、電力と情報とを重畳した信号を一次コイル部１３に供給する。
【００４１】
また、同図に示す表示装置２０ａは、表示装置２０と比較すると、「表示制御部２７」に代えて「制御部２７ａ」を備える点において相違している。制御部２７ａは、上述した制御部２７と同様の機能に加え、二次コイル部２１において発生した交流信号を取得し、この信号から情報と電力とを分離する復調処理を実行する機能を有する。制御部２７ａは、復調処理により情報を取得し、取得した情報に基づいて表示部２８の表示に関する処理を実行する。この、電力に重畳されて取得される情報は、表示データであってもよいし、表示データの切り替えなどを表す指示であってもよい。制御部２７ａは、判別部２５から出力される判別信号と取得した情報とをあわせて用いて表示に関する処理を実行してもよい。なお、制御部２７ａは、取得する情報が表示データである場合には、これを記憶部２６に記憶させてもよい。
【００４２】
図１２は、電力と情報とを送受信する表示装置を例示する図であり、上述した第２実施形態（図７参照）を変形したものである。なお、この場合において、指示装置の構成は、図１１に示したものと同様である。同図に示す表示装置３０ａは、表示装置３０と比較すると、「判別部３４」に代えて「判別部３４ａ」を備えるとともに、「表示制御部３６」に代えて「制御部３６ａ」を備える点において相違している。判別部３４ａは、上述した判別部３４と同様の機能に加え、判別信号を出力することにより、いずれのスパイラルコイルが情報を取得したかを特定する機能を有する。すなわち、判別信号は、この場合、複数のスパイラルコイルのそれぞれを一意的に特定し、復調処理を行うべき信号がいずれのスパイラルコイルから出力されているかを特定する情報となる。制御部３６ａは、上述した制御部３６と同様の機能に加え、表示部２８の表示を制御するとともに、判別信号により特定されるスパイラルコイルから出力された信号に復調処理を実行する機能を有する。制御部３６ａは、復調処理により情報を取得し、取得した情報に基づいて表示部３７の表示に関する処理を実行する。
【００４３】
なお、電力と情報とを送受信する構成は、図１１または１２と異なる構成であってもよい。
図１３および１４は、それぞれ、図１１および１２のそれぞれに示した表示装置を更に変形した変形例である。これらの構成は、上述した制御部２７ａや制御部３６ａと復調処理を実行するための構成とを分離したものである。なお、これらの構成において、指示装置は、図１１に示したものと同様である。
【００４４】
図１３に示す表示装置２０ｂは、図２に示した表示装置２０の構成に加えて、選択復調部２９を備える。また、判別部２５は、表示制御部２７に加え、この選択復調部２９に判別信号を出力する。選択復調部２９は、判別信号に基づいて復調処理を行うべき信号がいずれのスパイラルコイルから出力されているかを特定し、特定した信号に対して選択的に復調処理を実行する。選択復調部２９は、復調処理により取得した情報が表示データの切り替えなどを表す指示である場合には、これを表示制御部２７に供給し、取得した情報が表示データである場合には、これを記憶部２６に記憶させる。
また、図１４に示す表示装置３０ｂは、図７に示した表示装置３０の構成に加えて、選択復調部３８を備える。この選択復調部３８は、上述した選択復調部２９と同様の処理を実行するものである。すなわち、この場合においても、判別部３４は、選択復調部３８に対しても判別信号を出力する。
【００４５】
また、上述した実施形態においては、表示面に記憶性液晶を採用したが、液晶以外の表示体を用いてもよい。記憶性を有するその他の表示体としては、例えば、マイクロカプセル型電気泳動方式の表示体、いわゆるＥＰＤ（ElectroPhoreticDisplay）などが挙げられる。
【００４６】
また、本発明は、情報処理装置としてではなく、ある外部装置に電力を供給する給電装置として実施することも可能である。本発明に係る給電装置は、例えば、第１実施形態の二次コイル部２１、整流平滑部２２、逆流抑制部２３、電力抽出部２４および判別部２５に相当する構成を有するものである。この場合において、電力抽出部２４は、外部装置に電力を供給し、判別部２５は、外部装置に判別信号を供給すればよい。また、本発明に係る給電装置は、もちろん、第２実施形態の二次コイル部３１、整流部３２、電力抽出部３３および判別部３４に相当する構成を有するものであってもよいし、重畳された情報を復調処理により取得する構成を有するものであってもよい。
【図面の簡単な説明】
【００４７】
【図１】本発明に係る情報表示システムを概略的に示す図である。
【図２】情報表示システムの全体構成を示すブロック図である。
【図３】一次コイル部の構成を示す図である。
【図４】表示装置の回路構成を部分的に示す図である。
【図５】表示装置の表示面側を示す図である。
【図６】表示装置の断面図である。
【図７】表示装置の全体構成を示すブロック図である。
【図８】表示装置の回路構成を部分的に示す図である。
【図９】表示装置の変形例を示す図である。
【図１０】表示装置の変形例を示す図である。
【図１１】情報表示システムの変形例を示す図である。
【図１２】表示装置の変形例を示す図である。
【図１３】表示装置の変形例を示す図である。
【図１４】表示装置の変形例を示す図である。
【符号の説明】
【００４８】
１００…情報表示システム、１０…指示装置、２０、３０…表示装置、２１、３１…二次コイル部、２２…整流平滑部、２３…逆流抑制部、２４、３３…電力抽出部、２５、３４…判別部、２６、３５…記憶部、２７、３６…表示制御部、２８、３７…表示部
【図１】
2008259401.tif 000003
【図２】
2008259401.tif 000004
【図３】
2008259401.tif 000005
【図４】
2008259401.tif 000006
【図５】
2008259401.tif 000007
【図６】
2008259401.tif 000008
【図７】
2008259401.tif 000009
【図８】
2008259401.tif 000010
【図９】
2008259401.tif 000011
【図１０】
2008259401.tif 000012
【図１１】
2008259401.tif 000013
【図１２】
2008259401.tif 000014
【図１３】
2008259401.tif 000015
【図１４】
2008259401.tif 000016